(57)【要約】      （修正有）【課題】ターボ過給機付きエンジンのエアバイパスバルブ故障診断において、サージングが発生したときのコンプレッサ下流の吸気圧力の脈動に起因して、エアバイパスバルブが正常であると誤判定することを抑制する。【解決手段】エアバイパスバルブ４３が開弁制御される時、コンプレッサ下流圧力検出手段３４の出力を受け、コンプレッサ下流圧力が所定の圧力判定閾値以上の異常圧力状態にあるか、あるいは、所定の圧力判定閾値未満の正常圧力状態か、を判定し、異常圧力状態傾向が強いときエアバイパスバルブ動作の故障を判定する故障判定手段５４と、コンプレッサのサージングの発生に関連する信号を検知するサージング関連信号検出手段３８と、サージングの発生を判定するサージング判定手段４５と、サージングが発生していると判定されたとき、故障判定手段５４での正常圧力状態の判定結果の反映を制限する正常圧力状態判定制限手段５０と、を備える。【選択図】図２
2016084737.tif 000002
【特許請求の範囲】
【請求項１】
エンジンの排気通路に設けられ排気で駆動されるタービンと、エンジンの吸気通路に設けられ前記タービンの駆動力によって吸気を昇圧するコンプレッサと、からなるターボ過給機と、
前記コンプレッサ下流の吸気通路に介設されるスロットルバルブと、
前記コンプレッサを迂回してコンプレッサ上流の吸気通路と、コンプレッサ下流、かつ前記スロットルバルブ上流の吸気通路と、を連通するバイパス通路と、
該バイパス通路に設けられ、少なくともスロットルバルブ閉弁のエンジン減速時に開弁制御され、前記バイパス通路を介してコンプレッサ下流とスロットルバルブ上流との間の吸気を逃がして吸気圧力を低下させるエアバイパスバルブと、
前記コンプレッサ下流とスロットルバルブ上流との間の吸気圧力を検出するコンプレッサ下流圧力検出手段と、
前記エアバイパスバルブが開弁制御される時、前記コンプレッサ下流圧力検出手段の出力を受け、コンプレッサ下流圧力が所定の圧力判定閾値以上の異常圧力状態にあることを判定する一方、前記コンプレッサ下流圧力検出値が前記所定の圧力判定閾値未満の正常圧力状態にあることを判定し、該両圧力状態判定結果に基づき、前記異常圧力状態傾向が強いとき、前記エアバイパスバルブ動作の故障と判定する故障判定手段と、
前記コンプレッサのサージングの発生に関連する信号を検知するサージング関連信号検出手段と、
前記サージング関連信号検出手段の信号を受けて、サージングの発生を判定するサージング判定手段と、
前記サージング判定手段の信号を受けて、前記サージング判定手段によりサージングが発生していると判定されたとき、前記故障判定手段の故障判定への上記正常圧力状態の判定結果の反映を制限する正常圧力状態判定制限手段と、を備えることを特徴とするターボ過給機付きエンジンのエアバイパスバルブ故障診断装置。
【請求項２】
請求項１に記載のターボ過給機付きエンジンのエアバイパスバルブ故障診断装置において、
前記正常圧力状態判定制限手段による前記故障判定手段での上記正常圧力状態の判定結果の反映の制限は、上記正常圧力状態の判定結果の反映を一切禁止することを特徴とするターボ過給機付きエンジンのエアバイパスバルブ故障診断装置。
【請求項３】
請求項１〜２のいずれか一項に記載のターボ過給機付きエンジンのエアバイパスバルブ故障診断装置において、
前記サージング関連信号検出手段は、エンジンの運転状態を検出する手段であって、
前記サージング判定手段は、前記サージング関連信号検出手段で検出された現在のエンジンの運転状態が、予め設定したサージングが発生し易い運転領域にあることを検出するとサージングが発生していると判定することを特徴とするターボ過給機付きエンジンのエアバイパスバルブ故障診断装置。
【請求項４】
請求項３に記載のターボ過給機付きエンジンのエアバイパスバルブ故障診断装置において、
前記サージング関連信号検出手段は、前記コンプレッサの上流の吸気圧力を検出するコンプレッサ上流圧力検出手段と、前記コンプレッサ下流圧力検出手段と、前記コンプレッサを通過する空気流量を検出するコンプレッサ通過流量検出手段と、の出力値に基づいて現在のエンジンの運転状態を検出し、
前記サージング判定手段は、前記サージング関連信号検出手段で検出された現在のエンジンの運転状態が、予め設定したコンプレッサ上下流の吸気圧力比とコンプレッサ通過流量とからなるサージング領域にあることを検出するとサージングが発生していると判定することを特徴とするターボ過給機付きエンジンのエアバイパスバルブ故障診断装置。
【請求項５】
請求項１〜２のいずれか一項に記載のターボ過給機付きエンジンのエアバイパスバルブ故障診断装置において、
前記サージング関連信号検出手段は、前記コンプレッサ下流圧力検出手段の出力値の脈動を検出する手段であって、
前記サージング判定手段は、前記サージング関連検出手段が前記コンプレッサ下流圧力検出手段の出力値の脈動を検出したとき、サージングが発生していると判定することを特徴とするターボ過給機付きエンジンのエアバイパスバルブ故障診断装置。
【請求項６】
請求項１〜２のいずれか一項に記載のターボ過給機付きエンジンのエアバイパスバルブ故障診断装置において、
前記サージング関連信号検出手段は、前記コンプレッサ上流の吸気通路に設けられ吸気流量を検出する吸気流量検出手段の出力値の脈動を検出する手段であって、
前記サージング判定手段は、前記サージング関連検出手段が前記吸気流量検出手段の出力値の脈動を検出したとき、サージングが発生していると判定することを特徴とするターボ過給機付きエンジンのエアバイパスバルブ故障診断装置。
【発明の詳細な説明】
【技術分野】
【０００１】
本発明は、コンプレッサを迂回してコンプレッサ上流の吸気通路とコンプレッサ下流かつスロットルバルブ上流の吸気通路とを連通するバイパス通路と、該バイパス通路を介してコンプレッサ下流とスロットルバルブ上流との間の吸気を逃がして、エンジン減速時に生じる過剰な吸気圧力を低下させるエアバイパスバルブと、を備えたターボ過給機付エンジンのエアバイパスバルブ故障診断装置に関する。
【背景技術】
【０００２】
エンジンの出力増大を図る手段として、吸気圧力を増大させる排気ターボ過給機（以下ターボ過給機と略称する）がよく知られている。ターボ過給機は、排気通路に設けられたタービンホイール（以下、タービンという）と吸気通路に設けられたコンプレッサホイール（以下コンプレッサと略称する）とをシャフトで連結したものであり、排気ガスでタービンを回転させることによりコンプレッサを駆動し、吸気圧力を上昇させ、その結果、エンジンの吸気充填率を高め、出力増大を図るものである。
【０００３】
このターボ過給機を備えたエンジンにおいては、減速時に、コンプレッサ下流に設けられたスロットルバルブが閉じられると、スロットルバルブを通過する吸気量の減少に伴い排気ガスが減少するにも関わらず、直前までの慣性力で過給機が高回転を暫時継続するため、コンプレッサの下流とスロットルバルブ上流との間の吸気圧力が過剰に上昇する一方で、コンプレッサを通過する空気流量が小さくなることにより、コンプレッサがサージングを起こして、異音（サージ音）を発生したり、サージングが長期に亘るとコンプレッサにダメージを与えたりすることがある。
【０００４】
そこで、コンプレッサの上流の吸気通路と、コンプレッサの下流とスロットルバルブの上流との間の吸気通路と、をバイパス通路で連通し、このバイパス通路にエアバイパスバルブを設け、スロットルバルブが閉じられるエンジン減速時にエアバイパスバルブを開弁することにより、バイパス通路を介してコンプレッサの下流とスロットルバルブの上流と間の吸気通路の吸気を逃して、過剰な吸気圧力上昇を抑制し、その結果、サージングを抑制する方法が知られている。
【０００５】
ところが、このエアバイパスバルブが、例えば閉固着するなどして故障すると、サージングの発生を抑制できなくなることから、エアバイパスバルブの故障を判定することが必要である。このようなエアバイパスバルブ故障判定方法として、特許文献１に記載の方法が知られている。
【０００６】
特許文献１に記載の方法では、エアバイパスバルブが閉弁故障した場合、バイパス通路を介してコンプレッサの下流とスロットルバルブの上流との間の吸気通路の吸気が逃がされなくなることに起因して、コンプレッサの下流とスロットルバルブの上流と間の吸気通路の吸気圧力検出値（以下、コンプレッサ下流の吸気圧力検出値という）が、エアバイパスバルブが正常に開弁した時と比べて高い状態（以下、異常圧力状態という）になる現象を利用してエアバイパスバルブの閉固着故障（以下、故障という）を判定している。
【０００７】
具体的には、エアバイパスバルブを開弁する指令が出されているとき、コンプレッサの下流吸気圧力検出値が、予め定めた圧力判定閾値以上であることが確認された場合には、異常圧力状態にあると判断して、圧力超過カウンタを増加させ、この圧力超過カウンタ値が所定の判定値以上になったとき、初めてエアバイパスバルブが故障していると判定している。このように、圧力超過カウンタ値に基づいて故障判定を行うようにしているのは、減速直後のエアバイパスバルブ開弁応答性や吸気圧力検出値のバラツキ等に起因するコンプレッサ下流の吸気圧力検出値の一時的な圧力上昇を異常圧力状態と誤判断することを抑制するためと考えられる。さらに、上記減速直後の一時的な圧力上昇でも、それが繰り返されると、ついには圧力超過カウンタ値が所定の判定値以上になるため、やはり異常圧力状態にあると誤判断することになる。そのため、この特許文献１においてはコンプレッサ下流の吸気圧力検出値が所定の圧力判定閾値未満であることが確認された場合には、圧力超過カウンタ値を一旦０にリセットするようにしている。すなわち、コンプレッサ下流の吸気圧力検出値が、所定の圧力判定閾値未満であるときには、一時的な圧力低下とは考え難いので、エアバイパスバルブが開弁した正常圧力状態と判断して圧力超過カウンタを減少させているものであり、特に、この特許文献１においては、圧力超過カウンタ値をリセットしても良いほどの確実な正常圧力状態であると判断しているものと考えられる。
このようにして、特許文献１は、コンプレッサ下流圧力が所定の圧力判定閾値以上の異常圧力状態にあることを判定する一方、前記コンプレッサ下流圧力検出値が前記所定の圧力判定閾値未満の正常圧力状態にあることを判定し、該両圧力状態判定結果に基づいて圧力超過カウンタ値を増減し、この圧力超過カウンタ値が所定の判定値以上に達するほどの前記異常圧力状態傾向が強いとき、前記エアバイパスバルブ動作の故障と判定することにより、誤判定を抑制する技術を開示しているのである。
【先行技術文献】
【特許文献】
【０００８】
【特許文献１】特開２００７−７７８９７号公報
【発明の概要】
【発明が解決しようとする課題】
【０００９】
しかしながら、コンプレッサ下流の吸気圧力検出値が所定の圧力判定閾値未満であっても、エアバイパスバルブが故障している場合がある。そのため、特許文献１に記載の方法では、エアバイパスバルブが故障しているにもかかわらず、エアバイパスバルブが正常であると誤判定する恐れがある。
【００１０】
図７は、特許文献１の方法を用いてエアバイパスバルブの故障判定を行う場合の、コンプレッサ下流の吸気圧力（以下、コンプレッサ下流圧力という。）検出値、エアバイパスバルブ開弁フラグ、圧力超過カウンタ値、エアバイパスバルブ故障判定フラグのタイムチャートである。図７（ａ）はサージングが発生していない場合を示しており、図７（ｂ）はサージングが発生した場合を示している。
【００１１】
サージングが発生していない場合には、図７（ａ）に示すように、コンプレッサ下流圧力検出値は、時刻t1でエアバイパスバルブを開弁する指令が出されてから、時間経過に伴い圧力判定閾値以上の領域で緩やかに低下していくため、コンプレッサ下流圧力検出値が圧力判定閾値を下回ることが無く、圧力超過カウンタ値が判定値を上回るため、特許文献１に記載の方法を用いて、エアバイパスバルブが故障していることを判定することができる。
【００１２】
しかしながら、サージングが発生した場合には、図７（ｂ）に示すように、コンプレッサ下流圧力検出値は、時刻t1でエアバイパスバルブを開弁する指令が出されてから、時間経過に伴い上昇と低下とを繰り返しながら次第に低下していく（以下、脈動という）。このコンプレッサ下流圧力検出値の脈動により、コンプレッサ下流圧力検出値は、圧力判定閾値未満の領域まで低下することがある。特許文献１に記載の方法では、このコンプレッサ下流圧力検出値が圧力判定閾値を下回ったことを受けて、圧力超過カウンタ値をリセットしてしまうため、エアバイパスバルブが故障しているにもかかわらず、圧力超過カウンタ値が何時まで経っても所定の判定値以上にならず、エアバイパスバルブが正常であると誤判定することになる。
【００１３】
本発明は以上のような事情を勘案してなされたもので、サージングが発生したときのコンプレッサ下流圧力検出値の脈動に起因して、エアバイパスバルブが故障しているにもかかわらず正常であると誤判定することを抑制したターボ過給機付エンジンのエアバイパスバルブ故障診断装置を提供することを目的とする。
【課題を解決するための手段】
【００１４】
前記した課題を解決するため、本発明に係るターボ過給機付エンジンの制御装置は、次のように構成することを特徴とする。
【００１５】
まず、請求項１に記載のターボ過給機付きエンジンのエアバイパスバルブ故障診断装置は、
エンジンの排気通路に設けられ排気で駆動されるタービンと、エンジンの吸気通路に設けられ前記タービンの駆動力によって吸気を昇圧するコンプレッサと、からなるターボ過給機と、
前記コンプレッサ下流の吸気通路に介設されるスロットルバルブと、
前記コンプレッサを迂回してコンプレッサ上流の吸気通路と、コンプレッサ下流、かつ前記スロットルバルブ上流の吸気通路と、を連通するバイパス通路と、
該バイパス通路に設けられ、少なくともスロットルバルブ閉弁のエンジン減速時に開弁制御され、前記バイパス通路を介してコンプレッサ下流とスロットルバルブ上流との間の吸気を逃がして吸気圧力を低下させるエアバイパスバルブと、
前記コンプレッサ下流とスロットルバルブ上流との間の吸気圧力を検出するコンプレッサ下流圧力検出手段と、
前記エアバイパスバルブが開弁制御される時、前記コンプレッサ下流圧力検出手段の出力を受け、コンプレッサ下流圧力が所定の圧力判定閾値以上の異常圧力状態にあることを判定する一方、前記コンプレッサ下流圧力検出値が前記所定の圧力判定閾値未満の正常圧力状態にあることを判定し、該両圧力状態判定結果に基づき、前記異常圧力状態傾向が強いとき、前記エアバイパスバルブ動作の故障と判定する故障判定手段と、
前記コンプレッサのサージングの発生に関連する信号を検知するサージング関連信号検出手段と、
前記サージング関連信号検出手段の信号を受けて、サージングの発生を判定するサージング判定手段と、
前記サージング判定手段の信号を受けて、前記サージング判定手段によりサージングが発生していると判定されたとき、前記故障判定手段の故障判定への上記正常圧力状態の判定結果の反映を制限する正常圧力状態判定制限手段と、を備えることを特徴とする。
【００１６】
本発明によれば、サージングの発生に関連する信号に基づいてサージングの発生を判定し、サージングが発生していると判定されたときには、故障判定手段での上記正常圧力状態の判定結果の反映を制限するため、サージングの発生によるコンプレッサ下流の圧力検出値の脈動に起因して、エアバイパスバルブが正常であると誤判定することを抑制できる。
【００１７】
さらに、請求項２に記載のターボ過給機付きエンジンのエアバイパスバルブ故障診断装置は、
請求項１に記載のターボ過給機付きエンジンのエアバイパスバルブ故障診断装置において、
前記正常圧力状態判定制限手段による前記故障判定手段での上記正常圧力状態の判定結果の反映の制限は、上記正常圧力状態の判定結果の反映を一切禁止することを特徴とする。
【００１８】
本発明によれば、サージングが発生していると判定されたときには、正常圧力状態の判定結果の反映を一切禁止する方法を用いて、正常圧力状態判定制限手段による上記正常圧力状態の判定結果の反映を制限するため、複雑な制御を用いることなく、サージングの発生によるコンプレッサ下流の圧力検出値の脈動に起因してエアバイパスバルブが正常であると誤判定することを抑制できる。
【００１９】
さらに、請求項３に記載のターボ過給機付きエンジンのエアバイパスバルブ故障診断装置は、
請求項１〜２のいずれか一項に記載のターボ過給機付きエンジンのエアバイパスバルブ故障診断装置において、
前記サージング関連信号検出手段は、エンジンの運転状態を検出する手段であって、
前記サージング判定手段は、前記サージング関連信号検出手段で検出された現在のエンジンの運転状態が、予め設定したサージングが発生し易い運転領域にあることを検出するとサージングが発生していると判定することを特徴とする。
【００２０】
すなわち、サージングが発生し易いエンジンの運転領域を予め実験等により求め、この運転領域をエアバイパスバルブ故障診断装置に予め設定（記憶）しておき、検出した現在のエンジンの運転状態が、このサージングが発生し易いエンジンの運転領域にあることを検出したときにサージングの判定を行うようにしたため、サージングの判定が好適に実現される。
【００２１】
さらに、請求項４に記載のターボ過給機付きエンジンのエアバイパスバルブ故障診断装置は、
請求項３に記載のターボ過給機付きエンジンのエアバイパスバルブ故障診断装置において、
前記サージング関連信号検出手段は、前記コンプレッサの上流の吸気圧力を検出するコンプレッサ上流圧力検出手段と、前記コンプレッサ下流圧力検出手段と、前記コンプレッサを通過する空気流量を検出するコンプレッサ通過流量検出手段と、の出力値に基づいて現在のエンジンの運転状態を検出し、
前記サージング判定手段は、前記サージング関連信号検出手段で検出された現在のエンジンの運転状態が、予め設定したコンプレッサ上下流の吸気圧力比とコンプレッサ通過流量とからなるサージング領域にあることを検出するとサージングが発生していると判定することを特徴とする。
【００２２】
すなわち、サージングは、コンプレッサの下流とスロットルバルブ上流との間の吸気圧力が過剰に上昇する一方で、コンプレッサを通過する空気流量が小さくなることに起因して発生するものであり、コンプレッサ上下流の吸気圧力比が大きいほど、コンプレッサ通過流量が小さいほど、発生しやすくなる。本発明によれば、サージングの発生と相関があるコンプレッサ上流の吸気圧力とコンプレッサ下流の吸気圧力との比であるコンプレッサ上下流の吸気圧力比と、コンプレッサ通過流量と、に基づいて検出した現在の運転状態をサージング関連信号として検出し、この現在の運転状態が、予め設定したサージング領域にあるとき、サージングが発生していると判定するため、より正確にサージングが発生していることを判定できる。
【００２３】
なお、コンプレッサ通過流量検出手段については、特に限定されないが、例えばコンプレッサ上流に設けた吸気流量検出手段の出力値をコンプレッサ通過流量とする方法などを用いればよい。また、コンプレッサ上流圧力検出手段についても、特に限定されないが、例えばエンジンに設けられた大気圧センサの出力値をコンプレッサ上流の吸気圧力として用いればよい。
【００２４】
さらに、請求項５に記載のターボ過給機付きエンジンのエアバイパスバルブ故障診断装置は、請求項１〜２のいずれか一項に記載のターボ過給機付きエンジンのエアバイパスバルブ故障診断装置において、
前記サージング関連信号検出手段は、前記コンプレッサ下流圧力検出手段の出力値の脈動を検出する手段であって、
前記サージング判定手段は、前記サージング関連検出手段が前記コンプレッサ下流圧力検出手段の出力値の脈動を検出したとき、サージングが発生していると判定することを特徴とする。
【００２５】
サージングが発生したときには、前述したように、コンプレッサ下流の吸気圧力値は上昇と低下とが繰り返される（脈動する）。本発明によれば、サージング関連信号としてコンプレッサ下流圧力検出手段の出力値の脈動を検出し、このコンプレッサ下流圧力検出手段の出力値の脈動を検出したときに、サージングが発生していると判定するため、サージングの判定が好適に実現される。
【００２６】
さらに、請求項６に記載のターボ過給機付きエンジンのエアバイパスバルブ故障診断装置は、請求項１〜２に記載のターボ過給機付きエンジンのエアバイパスバルブ故障診断装置において、
前記サージング関連信号検出手段は、前記コンプレッサ上流の吸気通路に設けられ吸気流量を検出する吸気流量検出手段の出力値の脈動を検出する手段であって、
前記サージング判定手段は、前記サージング関連検出手段が前記吸気流量検出手段の出力値の脈動を検出したとき、サージングが発生していると判定することを特徴とする。
【００２７】
サージングが発生したときには、吸気流量は上昇と低下とが繰り返される（脈動する）。本発明によれば、サージング関連信号として吸気流量検出手段の出力値の脈動を検出し、この吸気流量検出手段の出力値の脈動を検出したときに、サージングが発生していると判定するため、サージングの判定が好適に実現される。
【発明の効果】
【００２８】
本発明によれば、サージングが発生したときに生じるコンプレッサ下流圧力検出手段の出力値の脈動に起因して、エアバイパスバルブが故障しているにもかかわらずエアバイパスバルブが正常であると誤判定することを抑制できる。
【図面の簡単な説明】
【００２９】
【図１】本発明の実施形態に係るターボ過給機付エンジンの全体構成図である。
【図２】本発明の実施形態におけるエアバイパスバルブ故障診断に係る制御ブロック図である。
【図３】本発明の実施形態に係るおけるエアバイパスバルブ故障診断方法を示すフローチャートである。
【図４】本発明の実施形態におけるサージング判定方法を示すフローチャートである。
【図５】本発明の実施形態におけるサージング判定に用いるコンプレッサマップの概略図である。
【図６】本発明の実施形態におけるエアバイパスバルブ故障判定に関わる各パラメータの経時変化を示すタイムチャートである。
【図７】従来の制御を実施したときのエアバイパスバルブ故障判定に関わる各パラメータの経時変化を示すタイムチャートである。
【発明を実施するための形態】
【００３０】
図１は本発明の実施形態に係るターボ過給機付エンジンのシステム１の全体構成を示している。
【００３１】
図１に示されるように、エンジンシステム１は、エンジン２と、ターボ過給器３と、アクセルペダル装置４と、吸気システム１０と、排気システム２０と、を備えている。エンジン２は、ガソリンを燃料とし、それを燃焼室に直接噴射とする直噴火花点火式内燃機関であり、クランクシャフトにより駆動されるカムシャフト２６には吸排気バルブ２７の開弁閉弁タイミングを運転状態に応じて可変制御するための可変バルブタイミング機構（ＶＶＴ）２８が設けられている。エンジン２の燃焼室２ａに、吸気ポート２ｂを介して吸気システム１０が接続されており、排気ポート２ｃを介して排気システム２０が接続されている。
【００３２】
吸気システム１０は、吸気通路１１と、吸気通路１１上に上流側から順に配置された、エアクリーナ１６、ターボ過給機３のコンプレッサ１８、インタークーラ１５、スロットルバルブ１４、及び吸気マニホールド１３を有している。吸気システム１０は、外部よりエアクリーナ１６の空気取り入れ口１６ａから取り入れた空気を、フィルタ１６ｂを通してコンプレッサ１８に供給する。その後、空気は、コンプレッサ１８により過給されて、インタークーラ１５により冷却された後、スロットルバルブ１４により吸気流量が調整されて吸気マニホールド１３を介して各気筒の燃焼室２ａへ供給される。
【００３３】
吸気通路１１には、エアクリーナ１６とコンプレッサ１８との間に、エアフロセンサ３６が配置されている。エアフロセンサ３６は空気取り入れ口１６ａから取り込まれた吸気量を検出する。エアフロセンサ３６としては、例えば、熱線式又はカルマン渦式のエアフロセンサを採用できる。
【００３４】
さらに、吸気通路１１には、コンプレッサ１８とスロットルバルブ１４との間に吸気圧力センサ（以下、コンプレッサ下流圧力センサとも言う）３４が配置されており、吸気マニホールド１３には、吸気マニホールド圧力センサ３２と温度センサ３５が配置されている。コンプレッサ下流圧力センサ３４はコンプレッサ１８とスロットルバルブ１４との間の吸気通路１１内の吸気圧力を検出する。吸気マニホールド圧力センサ３２は吸気マニホールド１３内の圧力を検出し、温度センサ３５は吸気マニホールド１３内の温度を検出する。
【００３５】
スロットルバルブ１４は、アクセルペダル装置４のアクセルペダル開度センサ３１で検出された運転者によるペダル踏込操作に応じて、制御装置６０からの制御信号に基づいて開閉される電子制御式であり、吸気通路１１内の吸気流路面積を変化させて燃焼室２ａへの空気の供給量を調整する。スロットルバルブ１４には、スロットルバルブ１４の開度を検出するスロットルバルブ開度センサ３３が配置されている。
【００３６】
さらに、吸気通路１１には、コンプレッサ１８によって過給された吸気の一部を、コンプレッサ１８の上流側に還流する吸気還流装置４１が設けられている。吸気還流装置４１は、バイパス通路４２とエアバイパスバルブ４３とを備えている。
【００３７】
バイパス通路４２は、一端がエアフロセンサ３６とコンプレッサ１８との間の吸気通路１１に開口しており、他端がコンプレッサ１８とスロットルバルブ１４との間の吸気通路１１に開口している。エアバイパスバルブ４３は、バイパス通路４２に設けられており、制御装置５からの制御信号により開閉される電子制御式である。
【００３８】
ターボ過給機３は、吸気通路１１に配置されたコンプレッサ１８と、排気通路２１に配置されたタービン２４と、ウエストゲートバルブ２５と、を備えている。ターボ過給機３は、エンジン２から排出された排気流によってタービン２４が回転されることで、タービン２４と同軸上に直結されたコンプレッサ１８が回転駆動され、この結果、吸気通路１１に吸気が過給されるようになっている。
【００３９】
ウエストゲートバルブ２５は、タービン２４の上下流を連通する排気バイパス通路２５ａを介して、エンジン２から排出された排気流の一部を、タービン２４を迂回させて下流側に逃がすようになっており、タービン２４に供給される排気ガス流量を調整する。
【００４０】
排気通路２１には、上流側から順に、排気マニホールド２２、ターボ過給機３のタービン２４、及び排気管２３が、配置されている。
【００４１】
エンジン１は、制御装置６０を備えており、この制御装置６０には大気圧センサ３７が取り付けられている。
【００４２】
制御装置６０は主にアクセル開度に基づいて目標トルク（言い換えると、目標となる負荷）を決定し、これに対応するスロットル弁３５の開度を決定し、エアフロセンサ３６が検出する吸入空気量に基づき燃料の噴射量を決定し、その量を噴射するようにインジェクタ８の作動制御を行う。また、後述するエアバイパスバルブ４３の故障診断を行う。次に、図２に示すエアバイパスバルブ故障診断に係る制御ブロック図を参照しながら、エアバイパスバルブ故障診断を行う制御装置６０について説明する。
【００４３】
制御装置６０には、スロットルバルブ開度センサ３３と、コンプレッサ下流圧力センサ３４と、エアフロセンサ３６と、大気圧センサ３７と、の出力信号が入力される。本実施形態においては、コンプレッサ下流圧力センサ３４と、エアフロセンサ３６と、大気圧センサ３７と、がサージング関連信号検出手段３８に相当する。また、制御装置６０は、エアバイパスバルブ４３と、ウエストゲートバルブ２５と、に制御信号を出力する。
【００４４】
制御装置６０は、エアバイパスバルブ制御手段４４と、サージング判定手段４５と、正常圧力状態判定制限手段５０と、記憶手段５１と、エアバイパスバルブ故障判定手段５４と、過給中止制御手段５５と、を備えている。
【００４５】
このエアバイパスバルブ制御手段４４は、スロットルバルブ開度センサ３３の信号を受けて、スロットルバルブが閉弁するエンジン減速時にエアバイパスバルブ４３を開弁させる指令を出す。これにより、バイパス通路４２を介してコンプレッサ下流とスロットルバルブ上流との間の吸気通路の吸気がコンプレッサ上流の吸気通路に逃がされ、サージングの発生が抑制される。
【００４６】
一方、このエアバイパスバルブ４３が故障すると、サージングの発生を抑制できなくなり、異音（サージ音）を発生したり、コンプレッサにダメージを与えたりすることになる。そこで、制御装置６０はエアバイパスバルブ故障判定手段５４を備えている。エアバイパスバルブ故障判定手段５４は、異常圧力状態判定部４６と、正常圧力状態判定部４７と、該両圧力状態判定結果に基づいて故障判定を行う故障判定部４８と、を備えている。
【００４７】
エアバイパスバルブ故障判定手段５４の詳細については後述するが、エアバイパスバルブ４３が正常に開弁したときに検出されると考えられるコンプレッサ下流の吸気圧力値をよりも高圧力側に圧力判定閾値を設け、コンプレッサ下流圧力センサ３４の出力値が前記圧力判定閾値以上である場合に異常圧力状態にあると判定し（これが異常圧力状態判定部４６の処理に相当する）、コンプレッサ下流圧力センサ３４の出力値が前記圧力判定閾値未満である場合に正常圧力状態にあると判定し（これが正常圧力状態判定部４７の処理に相当する）、該両圧力状態判定結果に基づき、異常圧力状態傾向が強いとき、前記エアバイパスバルブ動作の故障を判定する（これが故障判定部４８の処理に相当する）。
【００４８】
ところで、サージングが発生した場合、コンプレッサ下流の吸気圧力（圧力センサ３４の出力値）が脈動することにより、コンプレッサ下流圧力センサ３４の出力値が圧力判定閾値未満となることがあり、このときに正常圧力状態にあると判定して、この判定結果を故障判定部４８での故障判定に反映すると、エアバイパスバルブ４３が故障しているにもかかわらず正常であると誤判定することになる。この理由について、図７を用いて説明する。
【００４９】
図７は、エアバイパスバルブが故障している時のコンプレッサ下流とスロットルバルブ上流との間の吸気圧力（以下、コンプレッサ下流圧力という。）検出値の経時変化を示している。図７（ａ）はサージングが発生していない場合を示しており、図７（ｂ）はサージングが発生した場合を示している。
【００５０】
サージングが発生していない場合には、図７（ａ）に示すように、コンプレッサ下流圧力検出値（コンプレッサ下流圧力センサ３４の出力値に相当）は、時刻t1でエアバイパスバルブを開弁する指令が出されてから、時間経過に伴い圧力判定閾値以上の領域で緩やかに低下していく。このとき、コンプレッサ下流圧力検出値が短時間で圧力判定閾値を下回ることが無いため、異常圧力状態傾向が強くなり、エアバイパスバルブが故障していると判定することができる。
【００５１】
しかしながら、サージングが発生した場合には、図７（ｂ）に示すように、コンプレッサ下流圧力検出値は、時刻t1でエアバイパスバルブを開弁する指令が出されてから、時間経過に伴い上昇と低下とを繰り返しながら次第に低下していく（以下、脈動という）。このコンプレッサ下流圧力検出値の脈動により、コンプレッサ下流圧力検出値は、圧力判定閾値未満の領域まで低下するため、正常圧力状態判定部４７は正常圧力状態であると判定する。この判定結果を、故障判定部４８での故障判定に反映すると、異常圧力状態傾向が強くならないため、エアバイパスバルブが故障しているにもかかわらず、正常であると誤判定することになる。
【００５２】
このように、サージングが発生したときにコンプレッサ下流圧力検出値の脈動が発生する理由について次に説明する。エアバイパスバルブを開弁する指令が出されるスロットルバルブ閉弁時には、タービンに供給される排気流量が減少するが、タービンは慣性力により暫時回転を継続するためにタービンに連結されたコンプレッサも過給を継続することになる。このとき、コンプレッサから下流側に吐出された吸気はスロットルバルブにより堰き止められるので、コンプレッサとスロットルバルブとの間の吸気通路の吸気圧力（コンプレッサ下流圧力センサ３４の出力値）は高い状態となる。一方、コンプレッサ通過流量は、スロットルバルブが閉じられているために小さくなる。このような状況になると、コンプレッサ上流の吸気通路の吸気が、コンプレッサを通って、コンプレッサ下流の吸気通路に向かって流れにくくなる（コンプレッサにより吸気が圧縮されにくくなる）ため、これに伴いコンプレッサ下流とスロットルバルブとの間の吸気通路の吸気圧力は次第に低下していく。このようにコンプレッサ下流の吸気圧力が低下していくと、今度は前述したコンプレッサ上流の吸気通路の空気がコンプレッサの下流の吸気通路に向かって流れにくくなる状態が解消されて、コンプレッサ下流の吸気圧力は上昇に転じる。コンプレッサ下流の吸気圧力が上昇していくと、再度コンプレッサ上流の吸気通路の吸気がコンプレッサ下流の吸気通路に向かって流れにくくなる状態となり、コンプレッサ下流の吸気圧力は低下する。これが繰り返されることにより、コンプレッサ下流の吸気圧力は上昇と低下とが繰り返される（脈動する）。
【００５３】
詳細は後述するが、このようなコンプレッサ下流圧力検出値の脈動に起因してエアバイパスバルブが正常であると誤判定することを抑制するために、本実施形態においては、正常圧力状態判定制限手段５０を備えている。
【００５４】
また、制御装置６０は、過給中止制御手段５５を備えている。この過給中止制御手段５５は、故障判定手段５４によりエアバイパスバルブ４３が故障していると判定されたときに、ウエストゲートバルブ２５の開度が最大になるように、ウエストゲートバルブ２５を動作させる指令を出す。これにより、エアバイパスバルブ４３が故障しているときにおいても、サージングが発生することを抑制する。
【００５５】
また、記憶手段５１には、サージング判定手段５４で使用するサージング判定閾値、故障判定手段５４の故障判定で使用するサージング判定領域や故障判定閾値等のエアバイパスバルブ故障診断制御に用いる各種データが記憶されている。
【００５６】
続いて、図３のフローチャートを用いてエアバイパスバルブ故障診断方法について説明する。本実施形態では、サージングが発生していると判定されたときには、正常圧力状態判定部４７が、正常圧力状態の判定結果の反映を一切禁止する方法（これが正常圧力状態判定制限手段５０に相当する）で、サージングの発生によるコンプレッサ下流圧力検出値の脈動に起因してエアバイパスバルブが正常であると誤判定することを抑制する。
【００５７】
まず、ステップ１でエアバイパスバルブ開弁フラグＦｏを読み込み、ステップ２で、エアバイパスバルブ開弁フラグＦｏ＝１、すなわちエアバイパスバルブ４３を開弁する指令が出されているか否かが判定される。ここで、Ｆｏ＝１の場合には、ステップ３以降のエアバイパスバルブ４３の故障判定を実行し、Ｆｏ＝０の場合には、ステップ１に戻り、ステップ１〜ステップ２の処理が繰り返され、ステップ３以降のエアバイパスバルブ４３の故障判定が実行されないようにする。なお、エアバイパスバルブ開弁フラグＦｏの設定に関しては、特に限定されないが、例えば、スロットルバルブ開度が所定の変化率で閉弁したときにＦｏ＝１に設定する方法や、車両の減速を検出したときにＦｏ＝１に設定する方法を用いればよい。また、本実施形態のような電気式のエアバイパスバルブではなく、コンプレッサ上下流の吸気通路の吸気圧力差が所定以上になったときに開弁する機械式のエアバイパスバルブを用いる場合には、コンプレッサ上流の吸気圧力値とコンプレッサ下流の吸気圧力値とを検出し、この検出値から算出されるコンプレッサ上下流の吸気圧力比が、予め設定される機械式エアバイパスバルブを開弁させる圧力比判定閾値以上となった場合にＦｏ＝１を設定する方法を用いればよい。
【００５８】
続いて、ステップ３でエアバイパスバルブ開弁フラグＦｏ＝１になってから現在に至るまでの期間が所定の時間閾値以上であるかが判定される。所定の時間閾値以上経過していなければステップ１に戻り、ステップ１〜ステップ３の処理が繰り返され、所定の時間閾値以上になるまでステップ４以降の故障判定に進まないようにする。所定の時間閾値以上経過すれば、コンプレッサ下流圧力状態が安定し、正確な圧力状態が検出できると判断して、ステップ４以降の故障判定に進む。すなわち、エアバイパスバルブ制御手段４４によるエアバイパスバルブ開弁指令直後においては、エアバイパスバルブ開弁応答性に起因してコンプレッサ下流の圧力センサ３４の出力値が一時的に上昇するため、これによりコンプレッサ下流圧力センサ３４の出力値が圧力判定閾値以上になることがある。この時に、異常圧力状態の判定を行うと、エアバイパスバルブが正常であるにもかかわらず異常圧力状態であると判定されることになるため、エアバイパスバルブが開弁してから所定時間経過するまでは、ステップ４に進まないようにする。
【００５９】
続いて、ステップ４でコンプレッサ下流圧力センサ３４の出力値が読み込まれ、続くステップ５で、コンプレッサ下流圧力センサ３４の出力値が所定の圧力判定閾値以上であるかが判定される。コンプレッサ下流圧力センサ３４の出力値が圧力判定閾値以上であればコンプレッサ下流圧力が異常圧力状態にあると判断して、続くステップ６にて圧力状態カウンタＣｐの値を増加させる。一方、コンプレッサ下流圧力センサ３４の出力値が圧力判定閾値未満であれば、ステップ７に進む。なお、圧力判定閾値は、エアバイパスバルブが正常に開弁したときにコンプレッサ下流圧力センサ３４で検出されると考えられる正常開弁時圧力推定値よりも高圧力側に設定されている。この正常開弁時圧力推定値は、運転状態に応じた値を予め実験等により求めればよい。
【００６０】
続くステップ７では、サージング判定フラグＦｓｊが読み込まれる。サージング判定フラグＦｓｊはサージング関連信号の出力値に基づいて逐次判定されており、詳細は後述する。
【００６１】
続いて、サージング判定フラグＦｓｊ＝０、つまりサージングが発生していないと判定されているか否かが判定され（ステップ８）、Ｆｓｊ＝０であればコンプレッサ下流圧力が正常圧力状態にあると判断して圧力状態カウンタＣｐを減少させる（ステップ９）。一方、Ｆｓｊ＝１の場合は、サージングの発生に起因したコンプレッサ下流の圧力センサ３４の出力値の脈動に起因して、コンプレッサ下流の圧力センサ３４検出値が圧力判定閾値未満になったものと判断して、ステップ１０に進み、圧力状態カウンタＣｐを減少させないようにする（これにより、故障判定手段の故障判定への上記正常圧力状態の判定結果の反映を制限することとなる）。すなわち、本実施形態においては、このステップ５が異常圧力状態判定部４６及び正常圧力状態判定部４７に相当し、ステップ７、８、１０が正常圧力状態判定制限手段５０に相当する。これにより、後述するステップ１３〜ステップ１４でのエアバイバスバルブの故障判定に際して、サージングの発生に起因したコンプレッサ下流圧力センサ３４の出力値の脈動に起因して、エアバイパスバルブが正常であると誤判定することが抑制される。
【００６２】
続いて、ステップ１１で、エアバイパスバルブ開弁フラグＦｏを読み込み、ステップ１２でエアバイパスバルブ開弁フラグＦｏが０でありエアバイパスバルブを閉弁する指令が出されているか否かが判定されて、エアバイパスバルブを閉弁する指令が出されていればステップ１３に進む。一方、エアバイパスバルブを閉弁する指令が出されていない、言い換えるとエアバイパスバルブを開弁する指令が出されていれば、ステップ４に戻り、ステップ４〜ステップ１０の圧力状態カウンタＣｐの演算が繰り返される。
【００６３】
続くステップ１３では、圧力状態カウンタＣｐの値が故障判定閾値以上であるかが判定され、Ｃｐが故障判定閾値以上であれば、異常圧力状態傾向が強いと判断して、エアバイパスバルブ４３が故障していると判定する（ステップ１４）。一方、圧力状態カウンタＣｐの値が故障判定閾値未満であれば、異常圧力状態傾向が強くないと判断して、エアバイパスバルブ４３が故障していると判定せずに、スタートに戻る。なお、本実施形態においては、このステップ１３が故障判定部４８に相当する。このように正常圧力状態判定及び異常圧力状態判定をエアバイパスバルブ４３を開弁する指令が出されている間に複数回実行し、圧力状態カウンタＣｐの値に基づいて故障判定することにより、エアバイパスバルブ４３の故障診断精度を向上させている。
【００６４】
なお、本実施形態においては、圧力状態カウンタＣｐの値が故障判定閾値以上であるときに異常圧力状態傾向が強いと判断しているが、異常圧力状態傾向が強いことの判断方法については本実施形態に限定されない。例えば、コンプレッサ下流圧力センサ３４の出力値が圧力判定閾値以上であればコンプレッサ下流圧力が異常圧力状態にあると判断して異常圧力状態カウンタＣｐ１の値を増加させ、コンプレッサ下流圧力センサ３４の出力値が圧力判定閾値未満かつサージングが発生していないときに正常圧力状態カウンタＣｐ２を増加させ、Ｃｐ１とＣｐ２の差分が所定以上になったとき、異常圧力状態傾向が強いと判断してもよい。
【００６５】
また、異常圧力状態傾向が強いことを判断する方法として、サージング判定フラグＦｓｊ＝０のとき、コンプレッサ下流圧力センサ３４の出力値が圧力判定閾値以上であればコンプレッサ下流圧力が異常圧力状態にあると判断して圧力状態カウンタＣｐの値を増加させ、コンプレッサ下流圧力センサ３４の出力値が圧力判定閾値未満であれば、圧力状態カウンタＣｐの値をリセットしても良いほどの確実な正常圧力状態であると判断して、圧力状態カウンタＣｐの値を０にリセットし、サージング判定フラグＦｓｊ＝１のときには、上述した正常圧力状態判定結果の反映の制限を行い、圧力状態カウンタＣｐの値が故障判定閾値以上であるときに異常圧力状態傾向が強いと判断する方法を用いてもよい。
【００６６】
また、異常圧力状態傾向が強いことを判断する方法として、サージング判定フラグＦｓｊ＝０のとき、コンプレッサ下流圧力センサ３４の出力値が圧力判定閾値以上であればコンプレッサ下流圧力が異常圧力状態にあると判断して圧力状態カウンタＣｐの値を増加させ、コンプレッサ下流圧力センサ３４の出力値が圧力判定閾値未満であれば、圧力状態カウンタＣｐの値を減少させ、サージング判定フラグＦｓｊ＝１のとき、上述した正常圧力状態判定結果の反映の制限を行い、圧力状態カウンタＣｐの値が故障判定閾値以上であるときに異常圧力状態傾向が強いと判断する方法を用いてもよい。
【００６７】
また、本実施形態においては、サージング判定フラグＦｓｊ＝１であれば、コンプレッサ下流圧力センサ３４の出力値が圧力判定閾値未満であっても、圧力状態カウンタＣｐの値を増減しないようにしている（一定の値で維持する）が、圧力状態カウンタＣｐの値を増加させてもよい。
【００６８】
そして、ステップ１３でエアバイパスバルブ４３が故障していると判定された場合には、ステップ１４で故障判定フラグＦｆ＝１が設定される。これを受けてステップ１５で過給中止制御が実行され、ステップ１６で乗員に交換を促すために警告灯を点灯する。過給中止制御の方法については特に限定されないが、例えばウエストゲートバルブ２５の開度を最大にする方法を用いればよい。このようにすることで、エアバイパスバルブ４３が故障している場合においても、サージングの発生を抑制できる。
【００６９】
続いて、ステップ７で用いたサージング判定フラグＦｓｊ設定方法（サージング判定手段４５）について、図４のフローチャートを用いて説明する。
【００７０】
図４はサージング判定のフローチャートを示している。まずステップ７１で、サージング関連信号である、コンプレッサ下流圧力センサ３４の出力値と、大気圧センサ３７の出力値と、を読み込む。
【００７１】
続いて、ステップ７２で、ステップ１で読み込まれた各種センサの出力値に基づいてコンプレッサ上下流の吸気圧力比（以下、コンプレッサ上下流圧力比という）が算出される。なお、本実施例では、大気圧センサ３７の出力値をコンプレッサ上流圧力として使用しているが、例えばコンプレッサ上流の吸気通路に圧力センサを設けてもよい。
【００７２】
続いて、ステップ７３で、サージング関連信号であるコンプレッサ通過流量が読み込まれ、ステップ７２で算出されたコンプレッサ上下流圧力比と、ステップ７３で読み込まれたコンプレッサ通過流量と、に基づいて検出された現在のエンジンの運転状態が、予め定めた所定のサージング領域内にあるか否かを判定される（ステップ７４）。このサージング領域は、記憶手段５１に、予め記憶されており、具体的には、図５に示すコンプレッサマップのサージングラインLよりもコンプレッサ通過流量が低流量側の領域がサージング領域として記憶されており、予め実験等により求められる。コンプレッサ通過流量の検出方法については、特に限定されないが、エンジンの運転状態に基づいて推定する方法や、エアフロセンサ３６（吸気流量検出手段）の検出値がコンプレッサ通過流量と等しいものとしてエアフロセンサ３６検出値をコンプレッサ通過流量とする方法を用いればよい。
【００７３】
すなわち、このステップ７４では、ステップ７２で算出したコンプレッサ上下流圧力比（図５の縦軸のコンプレッサ圧力比に相当する）と、ステップ７３で読み込まれたコンプレッサ通過流量と、から推定される現在のエンジンの運転状態が、前述したサージング領域にある場合に、サージングが発生する運転状態であると判断し、このときには、ステップ７５でサージング判定フラグＦｓｊを１に設定する。一方、現在のエンジンの運転状態が、前記サージングラインよりも高流量側に位置している場合には、サージングが発生しない運転状態であると判断して、サージング判定フラグＦｓｊを０に設定する（ステップ７６）。例えば、図５記載の現在のエンジンの運転状態がＰ０に位置する場合には、サージング領域内に位置しているため、サージングが発生していると判定される。一方、現在のエンジンの運転状態がＰ１に位置している場合にはサージング領域内に位置していないため、サージングが発生していると判定されないことになる。
【００７４】
そして、サージング判定フラグＦｓｊの演算が完了すれば、スタートに戻り、サージング判定フラグＦｓｊの演算が繰り返される。これにより、エンジン状態の変化に応じて、逐次サージング判定が行われる。
【００７５】
本実施形態においては、現在のエンジンの運転状態と予め設定したサージング領域とに基づいてサージング判定を行っているが、前述したようにサージングが発生しているときにはコンプレッサ下流圧力センサ３４の出力値の脈動が検出されるため、これを利用してサージング判定してもよい。具体的には、コンプレッサ下流圧力センサ３４の出力値の脈動をサージング関連信号として検出し、この脈動が検出されたときにサージングが発生していると判定すればよい。脈動の検出方法については特に限定されないが、例えば上昇と低下とが所定回数繰り返した時に脈動したと判定する方法などを用いればよい。
【００７６】
また、サージングが発生しているときにはエアフロセンサ３６の出力値の脈動が検出されることを利用してサージング判定してもよい。すなわち、サージングが発生したときには、前述したようにコンプレッサ上流の吸気がコンプレッサ下流に向かって流れにくくなる状態になり、これに伴い、コンプレッサ上流の吸気通路に設けられた吸気流量検出手段（エアフロセンサ３６）の出力値は低下していくことになる。その後、コンプレッサ下流の吸気圧力が低下していくと、今度はコンプレッサ上流の吸気がコンプレッサ下流に向かって流れにくくなる状態が解消されるため、これに伴い吸気流量検出手段（エアフロセンサ３６）の出力値も増加していく。これが繰り返されることにより、吸気流量検出手段（エアフロセンサ３６）の出力値は上昇と低下とが繰り返される。そこで、サージング関連信号として、吸気流量検出手段の脈動を検出し、この脈動を検出したとき、サージングが発生していると判定すればよい。脈動の検出方法については特に限定されないが、例えば上昇と低下とが所定回数繰り返した時に脈動したと判定する方法などを用いればよい。
【００７７】
図６は本発明の実施形態におけるエアバイパスバルブ故障判定に関わる各パラメータの経時変化を示すタイムチャートである。時刻t1でエアバイパスバルブ開弁フラグＦｏ＝１となると、所定の時間閾値以上経過するまで、エアバイパスバルブの故障判定が実行されず、圧力状態カウンタＣｐの演算は行われない。この所定の時間閾値が経過した時刻ｔ２から、エアバイパスバルブの故障判定が実行される。この時刻ｔ２以降は、サージング判定フラグＦｓｊの値を読み込み、この値に応じた圧力状態カウンタＣｐの演算が行われる。時刻ｔ２からｔ３までは、コンプレッサ下流圧力センサ出力値が圧力判定閾値未満であるが、サージング判定フラグＦｓｊ＝１であるため、圧力状態カウンタＣｐの値が減少されずに一定値に維持される。時刻ｔ３からｔ４までは、コンプレッサ下流圧力センサ出力値が圧力判定閾値以上であるため、圧力状態カウンタＣｐの値は増加する。時刻ｔ４からｔ５までは、時刻ｔ２からｔ３までと同様に、コンプレッサ下流圧力検出値が圧力判定閾値未満であるが、サージング判定フラグＦｓｊが１であるため、圧力状態カウンタＣｐの値が減少されずに一定値に維持される。また、時刻ｔ５からｔ６までは、時刻ｔ３からｔ４までと同様に、コンプレッサ下流圧力検出値が圧力判定閾値以上であるため、圧力状態カウンタＣｐの値は増加する。このような圧力状態カウンタＣｐの演算が時刻ｔ６以降でも繰り返され、時刻ｔ９で圧力状態カウンタＣｐが故障判定閾値を上回ることになる。これを受けて、エアバイパスバルブ故障判定フラグＦｆが１になる。
【００７８】
本実施形態におけるエアバイパスバルブ４３の故障診断方法によれば、次の効果が得られる。
【００７９】
サージング判定手段４５によりサージングの発生を判定し、サージングが発生していると判定されたときには、正常圧力状態判定制限手段５０により、故障判定部４８での正常圧力状態の判定結果の反映を制限するため、サージングの発生によるコンプレッサ下流の圧力センサ３４の出力値の脈動によりエアバイパスバルブが正常であると誤判定することを抑制できる。
【００８０】
また、正常圧力状態判定部４６が正常圧力状態にあると判定した結果を故障判定部４８での故障判定に反映することを一切禁止するという方法を用いて、故障判定部４８での正常圧力状態の判定結果の反映を制限するため、複雑な制御を用いることなく、サージングの発生によるコンプレッサ下流の圧力センサ３４の出力値の脈動によりエアバイパスバルブが正常であると誤判定することを抑制できる。
【００８１】
また、サージングが発生し易いエンジンの運転領域を予め実験等により求め、これをサージング領域として、エアバイパスバルブ故障診断装置に予め設定しておき、検出した現在のエンジンの運転状態が、このサージング領域にあることを検出したときにサージングが発生していると判定することで、サージングの判定が好適に実現される。このとき、サージングの発生と相関がある、コンプレッサ上流の吸気圧力とコンプレッサ下流の吸気圧力との比であるコンプレッサ上下流の吸気圧力比と、コンプレッサ通過流量と、に基づいて現在のエンジンの運転状態を検出し、この検出した現在のエンジンの運転状態が、予め設定されるコンプレッサ上下流の吸気圧力比とコンプレッサ通過流量とからなるサージング領域にあることを検出するとサージングが発生していると判定する方法を用いているため、エンジンの運転状態に応じた適切なサージングの判定を行える。これにより、サージングの発生によるコンプレッサ下流の圧力センサ３４の出力値の脈動によりエアバイパスバルブが正常であると誤判定することがより正確に抑制される。
【００８２】
また、圧力状態カウンタを用いて、正常圧力状態の判定と異常圧力状態の判定をエアバイパスバルブ４３への開弁指令が出されている間繰り返すようにして（複数回実行するようにして）、エアバイパスバルブの故障判定を行っているため、コンプレッサ下流の圧力センサ３４の出力値の一時的な変動により、正常圧力状態の判定と異常圧力状態の判定とを誤判定し、これに伴いエアバイパスバルブ４３の故障を誤判定することを抑制できる。
【００８３】
また、エアバイパスバルブ４３が開弁してから所定期間は故障判定を行わないようにしたため、エアバイパスバルブ４３が開弁することに起因してコンプレッサ下流の圧力センサ３４の出力値が一時的に上昇することにより、コンプレッサ下流圧力センサ３４の出力値が圧力判定閾値以上になり、エアバイパスバルブ４３が正常であるにもかかわらず異常圧力状態にあると判定することが抑制されるため、エアバイパスバルブ４３の故障判定精度が向上する。
【００８４】
また、エアバイパスバルブ４３の故障が判定されたとき、過給中止制御を実行するため、エアバイパスバルブ４３の修理を行うまでの運転中に、サージングの発生が繰り返されることを抑制できる。
【００８５】
本発明は例示された実施形態に限定されるものではなく、本発明の要旨を逸脱しない範囲において、種々の改良及び設計上の変形が可能であることは言うまでもない。
【産業上の利用可能性】
【００８６】
以上のように、本発明によれば、サージングが発生したときに生じるコンプレッサ下流圧力検出手段の出力値の脈動に起因して、エアバイパスバルブが故障しているにもかかわらず正常であると誤判定することを抑制できるため、エアバイパスバルブを備えるターボ過給機付エンジンにおいて好適に実施される可能性がある。
【符号の説明】
【００８７】
１      過給システム
２      エンジン
３      ターボ過給機
４      アクセルペダル装置
１３    吸気マニホールド
１４    スロットルバルブ
１５    インタークーラ
１６    エアクリーナ
１８    コンプレッサ
２４    タービン
３１    アクセルペダル開度センサ
３２    吸気マニホールド圧力センサ
３４    コンプレッサ下流圧力センサ（コンプレッサ下流圧力検出手段）
３６    エアフロセンサ
３７    大気圧センサ
３８    サージング関連信号検出手段
４２    バイパス通路
４３    エアバイパスバルブ
４４    エアバイパスバルブ制御手段
４５    サージング判定手段
４６    異常圧力状態判定部
４７    正常圧力状態判定部
４８    故障判定部
５０    正常圧力状態判定制限手段
５１    記憶手段
５４    エアバイパスバルブ故障判定手段
５５    過給中止制御手段
６０    制御装置
【図１】
2016084737.tif 000003
【図２】
2016084737.tif 000004
【図３】
2016084737.tif 000005
【図４】
2016084737.tif 000006
【図５】
2016084737.tif 000007
【図６】
2016084737.tif 000008
【図７】
2016084737.tif 000009